(57)【特許請求の範囲】
【請求項１】
動画データを入力する入力手段と、
複数の記録媒体に動画データを記録し、前記複数の記録媒体から動画データを読み出す記録媒体制御部と、
前記記録媒体制御部により読み出された動画データを表示装置に出力する出力手段と、
前記複数の記録媒体から読み出された複数の動画データを比較する比較手段と、
前記入力手段により入力された動画データを前記複数の記録媒体に同時に記録するように前記記録媒体制御部を制御する制御手段
とを備え、
前記制御手段は、前記記録媒体制御部により前記複数の記録媒体の一つから第１の動画データを読み出して前記出力手段により前記表示装置に出力しながら、前記第１の動画データと同時に記録された第２の動画データを前記記録媒体制御部により他の記録媒体から読み出させるとともに前記比較手段により前記第１の動画データと前記第２の動画データとの比較処理を実行させる
ことを特徴とする記録装置。
【請求項２】
前記入力手段により入力された動画データを圧縮する圧縮手段と、
前記記録媒体制御部により読み出された動画データを伸長する伸長手段
とを備え、
前記記録媒体制御部は、前記圧縮手段により圧縮された動画データを前記複数の記録媒体に記録し、
前記制御手段は、前記複数の記録媒体の一つから読み出された前記第１の動画データを前記伸長手段により伸長させ、伸長された前記第１の動画データを前記出力手段により前記表示装置に出力しながら、前記伸長手段により伸長されていない前記第１の動画データと、前記伸長手段により伸長されていない前記第２の動画データとを前記比較手段により比較させる
ことを特徴とする請求項１に記載の記録装置。
【請求項３】
前記制御手段は、通常の再生モードにおいて、前記複数の記録媒体のうちユーザにより選択された記録媒体から動画データを読み出すように前記記録媒体制御部を制御し、ユーザにより再生確認処理の指示があった場合において、前記複数の記録媒体の一つから前記第１の動画データを読み出して前記出力手段により前記表示装置に出力しながら、前記他の記録媒体から前記第２の動画データを検出して前記記録媒体制御部により前記他の記録媒体から読み出させ、前記比較手段により前記第１の動画データと前記第２の動画データとの比較処理を実行させることを特徴とする請求項１に記載の記録装置。
【請求項４】
前記制御手段は、前記比較処理の結果に関する情報を前記出力手段により前記表示装置に出力させることを特徴とする請求項１に記載の記録装置。
【請求項５】
前記制御手段は、前記第１の動画データの読み出しが停止されるまで、前記第１の動画データと前記第２の動画データとの比較処理の結果を記憶し、前記第１の動画データの読み出しが停止された後、前記比較処理の結果に関する情報を前記出力手段により前記表示装置に出力させることを特徴とする請求項４に記載の記録装置。
【発明の詳細な説明】
【技術分野】
【０００１】
本発明は、記録装置に関し、より具体的には、画像、好ましくは動画を複数の記録媒体に同時記録する記録装置に関する。
【背景技術】
【０００２】
従来、動画像信号や音声信号を記録媒体に記録する記録装置が知られている。この種の記録装置においては、複数の記録媒体に同じ動画像信号を記録できる装置も存在する。
【０００３】
一方、放送現場などでは、家庭用の撮影に比べ、記録した動画像信号に非常に高い信頼性が求められる。そこで、複数の記録媒体に同一の動画像信号を同時記録するカメラも提案されている（例えば、特許文献１参照）。
【先行技術文献】
【特許文献】
【０００４】
【特許文献１】特開平０７−２３１４２０公報
【発明の概要】
【発明が解決しようとする課題】
【０００５】
同じ画像を複数の記録媒体に同時記録する記録装置で、各記録媒体に正常に画像を記録できていることを確認するには、各記録媒体から記録画像を再生し、同じであることを確認する必要がある。この方法では、記録媒体の台数分だけの時間が必要になる。また、各記録媒体に記録された画像の同一性を何らかの方法で確認する必要がある。
【０００６】
本発明はこのような問題点を解決し、複数の記録媒体に同時記録される画像の同一性を短時間で確認できる記録装置を提示することを目的とする。
【課題を解決するための手段】
【０００７】
本発明に係る記録装置は、動画データを入力する入力手段と、複数の記録媒体に動画データを記録し、前記複数の記録媒体から動画データを読み出す記録媒体制御部と、前記記録媒体制御部により読み出された動画データを表示装置に出力する出力手段と、前記複数の記録媒体から読み出された複数の動画データを比較する比較手段と、前記入力手段により入力された動画データを前記複数の記録媒体に同時に記録するように前記記録媒体制御部を制御する制御手段とを備え、前記制御手段は、前記記録媒体制御部により前記複数の記録媒体の一つから第１の動画データを読み出して前記出力手段により前記表示装置に出力しながら、前記第１の動画データと同時に記録された第２の動画データを前記記録媒体制御部により他の記録媒体から読み出させるとともに前記比較手段により前記第１の動画データと前記第２の動画データとの比較処理を実行させることを特徴とする。
【発明の効果】
【０００８】
本発明によれば、複数の記録媒体に同時記録した動画を短時間で確認できる。
【図面の簡単な説明】
【０００９】
【図１】本発明の一実例の概略構成ブロック図である。
【図２】再生処理を示すフローチャートである。
【図３】本実施例の再生確認処理を示すフローチャートである。
【図４】エラー処理を示すフローチャートである。
【図５】復号エラーと一致判定結果に依存する表示メッセージ例の表である。
【図６】別の再生処理を示すフローチャートである。
【図７】図６に対応する再生確認処理を示すフローチャートである。
【図８】図６及び図７に対応するエラー処理を示すフローチャートである。
【発明を実施するための形態】
【００１０】
以下、図面を参照して、本発明の実施例を詳細に説明する。
【実施例１】
【００１１】
図１は、本発明に係る記録装置の一実施例の概略構成ブロック図を示す。
【００１２】
入力部１０１は、動画像信号や音声信号を取得して出力する。本実施例では、入力部１０１は記録装置１００の外部から供給された動画像信号や音声信号を入力するが、撮像部やマイクロフォンを含んでもよい。
【００１３】
制御部１０２は、ユーザインターフェース（ＵＩ）１０３からの入力に応じて記録装置１００の動作全体を制御する。制御部１０２はマイクロコンピュータ及びメモリ等を含み、メモリに記憶されたプログラムに従って記録装置１００を制御する。また、制御部１０２は、記録媒体制御部１０６との間でデータ及びコマンドを通信するための記録媒体インターフェイス（ＩＦ）を内蔵する。ＵＩ１０３は、ユーザにより操作可能な各種のスイッチを含む。そして、ＵＩ１０３は、ユーザによる各種の指示などを受理して制御部１０２に通知する。ＵＩ１０３は、電源スイッチや記録の開始／停止を指示するスイッチ、及び記録装置１００のモードを切り替えるモードスイッチ等を含む。
【００１４】
信号処理部１０４は、記録時には、入力部１０１により入力された動画像信号や音声信号をＭＰＥＧ等の公知の符号化形式に従って符号化して、その情報量を圧縮する。また、動画像信号や音声信号の記録のために必要な処理を施す。また、信号処理部１０４は、再生時には、記録媒体から読み出された動画像信号や音声信号の圧縮データを復号し、その情報量を伸長する。また、信号処理部１０４は、記録時には、符号化された動画信号や音声信号の符号量（データ量）の情報を制御部１０２に出力する。
【００１５】
メモリ１０５は、動画像信号や音声信号を記憶する。記録装置１００の各ブロックは、メモリ１０５にアクセスすることにより、必要な動画像信号や音声信号を処理する。また、メモリ１０５は、動画像信号や音声信号の他に、ファイルシステムの情報及び管理情報などの各種の情報を記憶し、更に、制御部１０２による制御のためのワークメモリ等の役割を果たす。
【００１６】
記録媒体制御部１０６は、記録媒体１０８，１０９に動画信号や音声信号、並びに必要な各種の情報を記録再生する。記録媒体制御部１０６は、記録時には、メモリ１０５に蓄積された動画データや音声データを記録媒体１０８，１０９の一方又は両方に記録する。また、記録媒体制御部１０６は、再生時には、記録媒体１０８又は同１０９から動画データや音声データを読み出し、メモリ１０５に記憶する。本実施例では、記録媒体１０８，１０９は互いに独立した別の記録媒体として構成され、それぞれ、ハードディスク（ＨＤＤ）又はフラッシュメモリカード等のランダムアクセスの記録媒体からなる。
【００１７】
記録媒体制御部１０６は、記録媒体１０８，１０９に記録する動画データ、音声データ及び各種の情報を、ＦＡＴ（Ｆｉｌｅ  Ａｌｌｏｃａｔｉｏｎ  Ｔａｂｌｅ）等のファイルシステムに従い、ファイルとして管理する。また、記録媒体制御部１０６はＡＴＡ等の公知のインターフェイス（ＩＦ）を有し、制御部１０２における記録媒体ＩＦとの間でデータや各種のコマンドを通信する。
【００１８】
記録媒体１０８，１０９は、不図示の記録媒体装着排出機構により、記録装置１００に容易に装着し排出できる。もちろん、記録媒体１０８，１０９の一方を記録装置１００に内蔵する構成でも良い。記録媒体制御部１０６は、後述の様に、記録媒体１０８，１０９に対するデータの記録中における状態を検出して、制御部１０２に通知する。
【００１９】
制御部１０２は、記録媒体１０８，１０９にデータ（ファイル）の書き込み又は読み出しを行う場合、記録媒体制御部１０６を制御して、記録媒体１０８，１０９からファイルシステムデータ（管理データ）をメモリ１０５に読み出させる。このファイルシステムデータは、記録媒体１０８，１０９に記録されたデータのファイル名、ファイルサイズ及び記録アドレスなどを示すデータであり、ファイルを管理するための管理情報である。制御部１０２は、読み出したファイルシステムデータに従ってファイルの書き込みと読み出しを制御する。制御部１０２は、記録媒体１０８，１０９へのファイルの書き込みに応じて、メモリ１０５に記憶されたファイルシステムデータを更新する。更新したファイルシステムデータは、適宜のタイミングで記録媒体制御部１０６により記録媒体１０８，１０９に記録される。
【００２０】
ユーザは、ＵＩ１０３を操作することにより、記録装置１００の動作モードの切り替え、及び動画データの記録開始と停止などを指示できる。また、本実施例では、二つの記録媒体１０８，１０９が装着されている場合、ユーザは、ＵＩ１０３を操作して、記録媒体１０８，１０９の任意の一方を記録先に指定できる。更には、二つの記録媒体１０８，１０９に同じ動画データを同時記録するように、制御部１０２に指示することもできる。
【００２１】
記録装置１００は、二つの記録媒体１０８，１０９のうちの一方に記録された動画ファイルを読み出し、他方に記録するコピー機能を有する。
【００２２】
出力部１０７は、再生された動画データや音声データを記録装置１００の外部の表示装置などに出力する。表示部１１０は、動画像や各種の情報を液晶パネル等の表示装置に表示する。データバス１１１は、記録装置１００の各部の間でデータや各種の制御コマンドなどを送受信するために用いられる。
【００２３】
二つの記録媒体１０８，１０９の一方をユーザが指定し、指定された方の記録媒体に動画データを記録する通常記録モードの動作を説明する。
【００２４】
ＵＩ１０３から動画データの記録モードへ移行する指示を受けると、制御部１０２は、記録装置１００を記録待機状態に遷移し、記録開始の指示を待機する。記録待機状態において、制御部１０２は、入力部１０１から入力された動画データに係る動画を表示部１１０に表示させる。ＵＩ１０３から記録開始の指示が入力すると、信号処理部１０４は、入力部１０１から入力しメモリ１０５に記憶される動画データと音声データを読み出し、その符号化を開始する。信号処理部１０４により符号化されたデータ、即ち符号化データは、メモリ１０５に書き込まれる。記録媒体制御部１０６は、メモリ１０５から符号化データを読み出して、記録媒体１０８，１０９のうち選択された方に記録する。
【００２５】
記録を開始した後にＵＩ１０３から記録停止の指示を受けると、制御部１０２は信号処理部１０４による動画データと音声データの符号化を停止し、記録先に指定された記録媒体１０８または同１０９への記録を停止する。
【００２６】
本実施例では、記録開始の指示から記録停止の指示までの間に記録した一連の動画と音声は、一つの動画ファイルとして管理される。従って、記録媒体制御部１０６は、記録開始に応じて新たな動画ファイルをオープンして動画と音声の記録を開始する。また、動画ファイルの記録を停止すると、制御部１０２は、今回、記録開始の指示から記録停止の指示までの間に記録した動画ファイルに関する管理情報を生成し、記録先の記録媒体に記録するように記録媒体制御部１０６に指示する。管理情報には、各動画ファイルの記録モードが通常記録モードと同時記録モードの何れの記録モードかを識別するモード情報が含まれる。
【００２７】
通常記録モードで記録された動画の再生動作を説明する。ＵＩ１０３により再生モードの切り替え指示があると、制御部１０２は、記録媒体制御部１０６に対し、記録媒体１０８，１０９のうち選択された方に記録された動画シーンを検出させる。記録媒体制御部１０６は、各動画シーンの先頭の一画面を読み出して信号処理部１０４に供給する。信号処理部１０４は、先頭画面を復号して、メモリ１０５に記憶する。信号処理部１０４は、復号された先頭画面の画像信号を縮小して各シーンの代表画像を生成する。制御部１０２は、複数のシーンの代表画像からなるインデックス画面を生成し、表示部１１０に表示させる。
【００２８】
ユーザは、ＵＩ１０３を操作して、インデックス画面に表示された代表画像から所望の代表画像を選択し、再生を指示する。制御部１０２は、この再生指示に応じて、選択された代表画像に対応するシーンの動画ファイルを再生するように記録媒体制御部１０６を制御する。記録媒体制御部１０６は、指定されたシーンの動画ファイルを記録媒体から読み出して信号処理部１０４に供給する。信号処理部１０４は、読み出された動画ファイルの符号化データを復号する。再生画像は表示部１１０に表示され、対応する再生画像データが出力部１０７から外部に出力される。
【００２９】
同時記録モードの動作を説明する。本実施例では、入力部１０１より入力された動画データと音声データとを同時に２つの記録媒体１０８，１０９に記録できる。いわゆるミラーリングになる。この場合、各記録媒体１０８，１０９に同じ符号化データを記録するので、記録されるファイルも同一のものとなる。
【００３０】
ユーザは、記録待機状態において、ＵＩ１０３を操作することにより同時記録モードを設定できる。同時記録モードが設定された状態で、ＵＩ１０３より記録開始の指示を受けると、制御部１０２は、通常記録モードの場合と同様に、入力された動画と音声の符号化を開始する。これにより、符号化データがメモリ１０５に格納される。制御部１０２は、メモリ１０５の符号化データを記録媒体１０８と同１０９の両方に記録するように記録媒体制御部１０６に指示する。この指示に応じて、記録媒体制御部１０６は、メモリ１０５から符号化データを読み出し、記録媒体１０８，１０９のそれぞれに記録する。
【００３１】
記録を開始した後にＵＩ１０３から記録停止の指示を受けると、制御部１０２は、信号処理部１０４による動画データと音声データの符号化を停止し、記録媒体１０８，１０９への記録を停止する。制御部１０２は、各記録媒体１０８，１０９に記録された動画ファイルに関する管理情報を生成し、記録媒体制御部１０６を制御して、各記録媒体１０８，１０９に記録させる。
【００３２】
また、制御部１０２は、同時記録モードで各記録媒体１０８，１０９に記録される動画ファイルについて、対応関係を識別するための識別情報を生成する。例えば、記録媒体１０８，１０９に同時に記録された二つの動画ファイルに対し、同じ値を持つ識別情報を生成する。制御部１０２は、生成した識別情報を各動画ファイルの管理情報に含めて各記録媒体１０８，１０９に記録するように、記録媒体制御部１０６に指示する。
【００３３】
同時記録された動画ファイルの再生確認処理を説明する。同時記録モードで記録停止が指示されると、記録装置１００は、記録待機状態となる。この状態でユーザがＵＩ１０３を操作して再生確認処理を指示すると、制御部１０２は、直前に二つの記録媒体１０８，１０９に直前に同時記録された動画ファイルの確認処理を実行する。具体的には、記録媒体１０８，１０９の一方（例えば、記録媒体１０８）から動画ファイルを再生し、再生画像を表示しつつ再生音声を出力する。制御部１０２は同時に、他方の記録媒体（記録媒体１０９）の対応する動画ファイルを読み出し、記録媒体１０８から読み出した動画ファイルと比較照合して、一致するかどうかを判別する。もちろん、何れの動画ファイルも、記録再生に伴うエラーを訂正した後で、比較する。動画データ部分の完全一致を同一の判定条件としてもよいが、一定未満の相違を許容して同一と判定しても良い。
【００３４】
図２は、再生確認処理において一方の記録媒体（例えば、記録媒体１０８）からの動画ファイルの再生・復号処理を示すフローチャートである。図３は、再生確認処理において、記録媒体１０８，１０９から読み出された動画ファイル同士を比較し、同一性を判定する処理を示すフローチャートである。図２に示す処理と図３に示す処理は、並列に実行される。また、図２に示す処理と図３に示す処理は、制御部１０２が各部を制御することにより実行される。
【００３５】
図２において、制御部１０２は、記録媒体１０８に記録されている動画ファイルのうち直前に記録された動画ファイルを検出し、再生するように記録媒体制御部１０６に指示する。記録媒体制御部１０６は、指定された動画ファイルを記録媒体１０８より読み出し（Ｓ２０１）、読み出した動画ファイルの動画と音声の符号化データをメモリ１０５に記憶する（Ｓ２０２）。制御部１０２は、メモリ１０５に格納された符号化データを順次復号するように信号処理部１０４に指示する（Ｓ２０３）。信号処理部１０４は、符号化データを正しく復号できない場合、復号エラーを制御部１０２に通知する。すなわち、信号処理部１０４は、記録媒体１０８から読み出された動画データ（符号化データ）の伝送エラー又は記録再生エラーを検出するエラー検出手段として機能する。復号で得られた再生動画データの画像（再生画像）は、表示部１１０に表示され、再生音声データは出力部１０７から出力される。
【００３６】
制御部１０２は、信号処理部１０４より復号エラーの通知を受けたか否かを判別する（Ｓ２０４）。復号エラーの通知を受けた場合、制御部１０２は、復号エラーが発生したことをメモリ１０５に記憶する（Ｓ２０５）。
【００３７】
復号エラーの通知を受けなかった場合、制御部１０２は、ＵＩ１０３から再生停止の指示を受けたか否かを判別する（Ｓ２０６）。再生停止の指示があると（Ｓ２０６）、制御部１０２は、記録媒体制御部１０６に動画ファイルの読み出しを停止するように指示し（Ｓ２０７）、再度記録待機状態に戻る。再生停止の指示が無い場合（Ｓ２０６）、制御部１０２は、再生中の動画ファイルの最後まで再生を完了したか否かを判別する（Ｓ２０８）。最後まで再生していない場合には、Ｓ２０１に戻って処理を続ける。動画ファイルの最後まで再生を完了した場合（Ｓ２０８）、制御部１０２は、記録媒体制御部１０６に動画ファイルの読み出しを停止するように指示する（Ｓ２０７）。
【００３８】
ステップＳ２０３において符号化データが正しく復号された場合でも、制御部１０２は、図３に示す比較処理が完了するまで、符号化データをメモリ１０５に記憶しておく。
【００３９】
図３に示す処理を説明する。制御部１０２は、二つの記録媒体のうちの他方（ここでは記録媒体１０９）に記録されている動画ファイルのうち、記録媒体１０８から再生されている動画ファイルと同時に記録された動画ファイルを検出する。制御部１０２は、検出した動画ファイルを記録媒体１０９から読み出すように記録媒体制御部１０６に指示する（Ｓ３０１）。記録媒体制御部１０６は、指定された動画ファイルを記録媒体１０８から読み出して、その符号化データをメモリ１０５に記憶する（Ｓ３０２）。ここで、制御部１０２は、記録媒体１０８からの再生処理に合わせて、所定量ずつ符号化データを記録媒体１０９から読み出すように記録媒体制御部１０６に指示する。
【００４０】
制御部１０２は、再生確認処理の際、メモリ１０５の記憶領域を記録媒体１０８から読み出した符号化データを格納する領域と、記録媒体１０９から読み出した符号化データを格納する領域とに分ける。記録媒体１０８から読み出した符号化データは再生出力に応じて逐次更新される。この逐次更新に同期して、制御部１０２は、同一性比較のための符号化データを記録媒体１０９からメモリ１０５に格納するように記録媒体制御部１０６を制御する。そして、制御部１０２は、メモリに格納される記録媒体１０８からの符号化データと、記録媒体１０９からの符号化データをビット単位で順次比較する（Ｓ３０３）。ビット単位の比較で不一致があるかどうかで、記録内容が同一かどうかを判別できる（Ｓ３０４）。すなわち、制御部１０２は、記録媒体１０８，１０９に同時記録された動画データが一致しているか否かを判定する判定手段として機能する。
【００４１】
不一致の部分があった場合（Ｓ３０４）、制御部１０２は、不一致を示すフラグを一致判定結果としてメモリ１０５に記憶する（Ｓ３０５）。
【００４２】
不一致が発見されずに、ＵＩ１０３より再生停止の指示を受けると（Ｓ３０６）、制御部１０２は、記録媒体制御部１０６に動画ファイルの読み出しを停止させ（Ｓ３０７）、記録待機状態に戻る。再生停止の指示が無い場合、制御部１０２は、再生中の動画ファイルの最後まで再生を完了したか否かを判別する（Ｓ３０８）。最後まで再生していない場合、制御部１０２は、Ｓ３０１に戻り、記録媒体制御部１０６に比較照合のための次の所定量の符号化データを記録媒体１０９から読み出させる。動画ファイルの最後まで再生を完了した場合（Ｓ３０８）、制御部１０２は、記録媒体制御部１０６に動画ファイルの読み出しを停止するように指示する（Ｓ３０７）。
【００４３】
動画ファイルのデータサイズは一般にメモリ１０５の記憶容量より大きいので、各記録媒体１０８，１０９に記録されたデータファイルを比較する場合、所定量ずつ読み出しながら比較することになる。このような処理は、どのようなファイルでも同様である。
【００４４】
図２及び図３に示す処理において、動画ファイルの最後まで再生を完了した場合に実行するエラー処理を説明する。図４は、エラー処理を示すフローチャートである。図２及び図３において動画ファイルの最後まで再生が完了した場合に、制御部１０２は、自動的に図４に示す処理を実行する。
【００４５】
制御部１０２は、図２に示す処理で復号エラーが検出されたか否か、及び、図３に示す処理でデータ不一致があったか否かを検出する（Ｓ４０１）。復号エラーがあった場合（Ｓ４０２）、制御部１０２は、データ不一致があったか否かを判別する（Ｓ４０３）。
【００４６】
データ不一致があった場合（Ｓ４０３）、制御部１０２は、記録媒体１０８に記録された動画ファイルにエラーがあり、記録媒体１０９に記録された動画ファイルが正しいものと判断する。この判断に従い、制御部１０２は、記録媒体１０８に記録された動画ファイルにエラーがあることを示すメッセージを表示部１１０に表示させる（Ｓ４０４）。更に、制御部１０２は記録媒体１０９の動画ファイルの記録媒体１０８へのコピーを実行するか否かをユーザに問うダイアログを表示部１１０に表示させる（Ｓ４０４）。
【００４７】
この問い合わせに応じてユーザがコピーを指示すると（Ｓ４０５）、制御部１０２は、記録媒体１０９から直前に記録された動画ファイルを読み出して記録媒体１０８にコピーするように記録媒体制御部１０６に指示する。この指示に応じて、記録媒体制御部１０６は、指定された動画ファイルを記録媒体１０９から読み出して記録媒体１０８に記録、すなわちコピーする（Ｓ４０６）。このとき、制御部１０２は、記録媒体１０８にコピーされた動画ファイルに関する管理情報を生成し、記録媒体１０８に記録するように記録媒体制御部１０６に指示する。この管理情報には、同時記録モードで記録されたことを示すモード情報が格納される。また、同時記録された動画ファイルを識別するための識別情報としては、記録媒体１０９に記録されていたコピー元の動画ファイルと同じ値が格納される。
【００４８】
コピーしない旨の指示がユーザからあった場合（Ｓ４０５）、制御部１０２は、そのまま処理を終了する。
【００４９】
復号エラーがあるものの（Ｓ４０２）、データ不一致が無い場合（Ｓ４０３）、制御部１０２は、記録媒体１０８，１０９に同時に記録された動画ファイルが共にエラーを有すると判断する。この場合、制御部１０２は、記録媒体１０８，１０９に同時記録された動画ファイルの両方にエラーがあることを示すメッセージを表示部１１０に表示させる（Ｓ４０７）。更に、制御部１０２は、記録媒体１０８，１０９に同時記録された動画ファイルを共に削除するか否かをユーザに問い合わせる問い合わせ画面を表示部１１０に表示させる（Ｓ４０７）。
【００５０】
問い合わせに応じてユーザがＵＩ１０３により削除を指示すると（Ｓ４０８）、制御部１０２は、記録媒体１０８，１０９から直前に同時記録された動画ファイルを削除するように記録媒体制御部１０６に指示する（Ｓ４０９）。記録媒体制御部１０６は、指定された動画ファイルを記録媒体１０８，１０９から削除する。このとき、制御部１０２は、削除された動画ファイルに関する管理情報も削除するように記録媒体制御部１０６に指示する。
【００５１】
また、ユーザが削除しない旨を指示入力した場合（Ｓ４０８）、制御部１０２は、そのまま処理を終了する。
【００５２】
復号エラーが発生せずに（Ｓ４０２）、データ不一致がある場合（Ｓ４１０）、制御部１０２は、記録媒体１０９に記録された動画ファイルにエラーがあり、記録媒体１０８に記録された動画ファイルが正しいと判断する。この判断に従い、制御部１０２は、記録媒体１０９に記録された動画ファイルにエラーがあることを示すメッセージを表示部１１０に表示させる（Ｓ４１１）。更に、制御部１０２は記録媒体１０８の動画ファイルの記録媒体１０９へのコピーを実行するか否かをユーザに問うダイアログを表示部１１０に表示させる（Ｓ４１１）。
【００５３】
この問い合わせに応じてユーザがコピーを指示すると（Ｓ４１２）、制御部１０２は、記録媒体１０８から直前に記録された動画ファイルを読み出して記録媒体１０９にコピーするように記録媒体制御部１０６に指示する。この指示に応じて、記録媒体制御部１０６は、指定された動画ファイルを記録媒体１０８から読み出して記録媒体１０９に記録、すなわちコピーする（Ｓ４１３）。このとき、制御部１０２は、記録媒体１０９にコピーされた動画ファイルに関する管理情報を生成し、記録媒体１０９に記録するように記録媒体制御部１０６に指示する。この管理情報には、同時記録モードで記録されたことを示すモード情報が格納される。また、同時記録された動画ファイルを識別するための識別情報としては、記録媒体１０８に記録されていたコピー元の動画ファイルと同じ値が格納される。
【００５４】
コピーしない旨の指示がユーザからあった場合（Ｓ４１２）、制御部１０２は、そのまま処理を終了する。
【００５５】
復号エラーがなく（Ｓ４０２）、且つ、データ不一致も無い場合（Ｓ４１０）、制御部１０２は、記録媒体１０８，１０９のそれぞれに記録された動画ファイルに正しく記録されていると判断する。そして、制御部１０２は、無エラーを示すメッセージを表示するように表示部１１０に指示する（Ｓ４１４）。
【００５６】
図５は、図４に示す処理における制御部１０２の判断と表示部１１０に表示されるメッセージの対応を示す。記録媒体１０８からのデータ再生に復号エラーが無く、記録媒体１０８，１０９のファイル比較が一致する場合、記録媒体１０８，１０９への同時記録は成功していることになり、表示メッセージは「エラー無し」になる。記録媒体１０８の動画ファイルに復号エラーがあり、記録媒体１０９の同ファイルと不一致の場合、記録媒体１０８の動画ファイルにエラーがあることになり、その旨のメッセージが表示される。記録媒体１０８の動画ファイルに復号エラーがあり、記録媒体１０９の動画ファイルと一致する場合には、両方の動画ファイルにエラーがあることになり、その旨のメッセージが表示される。記録媒体１０８の動画ファイルに復号エラーが無く、記録媒体１０９の動画ファイルと一致しない場合、記録媒体１０９の動画ファイルにエラーがある旨のメッセージが表示される。
【００５７】
この様に、本実施例では、複数の記録媒体に同時に記録された動画ファイルを確認する際に、一方の記録媒体の動画ファイルを再生出力しながら、他方の記録媒体から対応する動画ファイルを読み出してファイル比較する。これにより、ユーザから見て、一度の再生動作で、内容を視聴しつつ、ファイルの同一性とエラーの有無を確認できる。何れか一方の動画ファイルにエラーがある場合に、それがどちらの動画ファイルであるかを迅速にユーザに知らせることができる。
【００５８】
本実施例では、再生確認処理において、記録媒体１０８の動画ファイルを再生出力するとしたが、記録媒体１０９の動画ファイルを再生出力しても良いことは明らかである。
【００５９】
本実施例では、同時記録モードにおいて動画ファイルの記録を停止した直後の記録待機状態においてユーザが再生確認を指示した場合に、再生確認処理を実行した。これに限らず、一旦再生モードに切り替えた後、ユーザが何れかの記録媒体から再生確認したい動画ファイルを選択し、再生確認処理を指示する様にしてもよい。
【００６０】
図４のステップＳ４０９では、動画ファイルそのものを削除していたが、これに限らず、復号エラーが発生している部分を選択して削除するようにしてもよい。例えば、ステップＳ２０５において、再生中の動画ファイルの中で復号エラーが発生している部分を全てメモリ１０５に記憶しておく。そして、ステップＳ４０９において、動画ファイルから復号エラーが発生している部分を削除する。動画と音声をＭＰＥＧ方式で符号化している場合、ＧＯＰの単位で復号が可能なので、復号エラーが発生したデータを含むＧＯＰと、このＧＯＰに対応した音声データを動画ファイルから削除すればよい。
【００６１】
本実施例では、二つの記録媒体に同時記録しているが、三つ以上の記録媒体に同時記録する場合にも拡張可能である。
【実施例２】
【００６２】
再生確認処理において、動画ファイルの再生中に復号エラーかファイルの不一致を検出した時点で再生を停止し、その時点でのエラーの検出結果と、データ比較結果に基づくメッセージを表示する実施例を説明する。図６は、その実施例の再生確認処理のフローチャートである。図２と同様の処理については同一の番号を付加してあり、詳細な説明は省略する。
【００６３】
図６では、ステップＳ２０４において復号エラーが検出されると、制御部１０２は、ステップＳ６０３に移行してエラー処理を実行する。
【００６４】
ステップＳ２０８において再生中の動画ファイルが終了すると、制御部１０２は、動画ファイルの再生を停止する様に記録媒体制御部１０６に指示する（Ｓ６０１）。制御部１０２は更に、エラー無しを示すメッセージを表示するように表示部１１０に指示する（Ｓ６０２）。
【００６５】
図７は、第２実施例における比較処理を示すフローチャートである。図３と同様の処理については同一の番号を付加してあり、詳細な説明は省略する。
【００６６】
データ不一致が通知されると（Ｓ３０４）、制御部１０２は、Ｓ７０２に移行してエラー処理を実行する。
【００６７】
再生中の動画ファイルが終了すると（Ｓ３０８）、制御部１０２は、動画ファイルの再生を停止する様に記録媒体制御部１０６に指示する（Ｓ７０１）。
【００６８】
図８は、ステップＳ６０３，Ｓ７０２のエラー処理の詳細なフローチャートを示す。説明する。図４と同様の処理については同一の番号を付加してあり、詳細な説明は省略する。
【００６９】
制御部１０２は、各記録媒体１０８，１０９からの動画ファイルの再生を停止するように記録媒体制御部１０６に指示する（Ｓ８０１）。そして、制御部１０２は、記録媒体１０８から再生されてメモリ１０５に記憶されている所定量の符号化データの復号処理と、メモリ１０５に記憶されている所定量の符号化データとの比較処理の完了を待つ。
【００７０】
制御部１０２は、復号エラーの検出結果とファイル比較結果とに応じて、前述の様に確認処理を実行する。
【００７１】
この実施例では、制御部１０２は、復号エラーの検出又はファイル比較の不一致に応じて図８に示すエラー処理を実行する。従って、ステップＳ４１４に示されるようなエラー無しのメッセージは表示されない。
【図１】
0005822603.tif 000002
【図２】
0005822603.tif 000003
【図３】
0005822603.tif 000004
【図４】
0005822603.tif 000005
【図５】
0005822603.tif 000006
【図６】
0005822603.tif 000007
【図７】
0005822603.tif 000008
【図８】
0005822603.tif 000009